(57)【要約】【課題】スイッチボックスに排水機能を持たせる。【解決手段】スイッチボックスは、上壁３０、底壁３１、後壁３２、左右の側壁３３、３４を備え、前面が開口状で壁面に埋設された箱体３と、箱体３の上壁３０、底壁３１に垂直状に設けた上側取付片６１、下側取付片７１、と、上側取付片６１、下側取付片７１に取り付けられ、押ボタンスイッチが搭載されたスイッチ取付プレートＰと、上側取付片６１、下側取付片７１、スイッチ取付プレートＰの後方に形成された配線空間と、を備える。底壁３１において、下側取付片７１の後側部位は、後壁３２から前方に向かって下向きに傾斜する傾斜面３１０に形成されており、下側取付片７１の下端には、傾斜面３１０の前端との間に水抜き用の隙間９が形成されており、前記配線空間に侵入した水を底壁３１及び隙間９を介して前方に排水する。【選択図】図５
2011144601.tif 000002
【特許請求の範囲】
【請求項１】
上壁、底壁、後壁、左右の側壁を備え、前面が開口状の箱体と、
箱体の上壁、底壁に垂直状に設けた上側取付片、下側取付片、と、
上側取付片、下側取付片に取り付けられ、押ボタンスイッチが搭載されたスイッチ取付プレートと、
上側取付片、下側取付片、スイッチ取付プレートの後方に形成された配線空間と、
を備えたスイッチボックスにおいて、
前記底壁において、下側取付片の後側部位は、後壁から前方に向かって下向きに傾斜する傾斜面に形成されており、
前記下側取付片の下端には、前記底壁との間に水抜き用の隙間が形成されており、前記配線空間に侵入した水を前記底壁及び前記隙間を介して前方に排水するように構成されている、
スイッチボックス。
【請求項２】
前記下側取付片は前記箱体の全幅に亘って延びており、当該下側取付片の幅方向両端部はそれぞれ左右の前記側壁に当接しており、
前記水抜き用の隙間は、前記下側取付片の幅方向両端部の下端に形成されている、
請求項１に記載のスイッチボックス。
【請求項３】
前記底壁の前端の幅方向両端部には、水抜き用の溝部が形成されている、請求項１、２いずれかに記載のスイッチボックス。
【請求項４】
前記箱体は壁面に埋設されており、前記箱体の前面には、蓋体を備えた開口枠体が設けてあり、前記開口枠体の四周状の縁部は壁面に当接しており、前記四周状の縁部の下縁には水抜き用の開口が形成されている、請求項１乃至３いずれかに記載のスイッチボックス。
【発明の詳細な説明】
【技術分野】
【０００１】
本発明は、スイッチボックスに係り、詳しくは、排水機能に優れたスイッチボックスの構造に関するものである。
【背景技術】
【０００２】
建物開口部を開閉する電動シャッターの開閉操作は、通常、壁面に埋設されたスイッチボックス内の押ボタンスイッチを用いて行われる。スイッチボックス内の押ボタンスイッチは、配管を通ってスイッチボックス内に引き出される配線によってシャッターケース内の開閉機と接続されているが、スラット巻取り時に、スラットに付着した水がシャッターケース内に溜まり、配管を伝わってスイッチボックス内に入ってくる場合がある。また、スイッチボックス内で発生した湿気が水滴となったり、スイッチボックスの蓋体を開放した際にスイッチボックスの正面から雨水が吹き込んだりする場合もある。
【０００３】
スイッチボックス内に水が入り込んでしまうと、水が内部に溜まり内部で腐食してしまう。スイッチボックス内に水が溜まると、配線の接続部のショートの原因になり、また、腐食した水が壁面に流れ出た場合には、壁を汚してしまうおそれがある。
【０００４】
特許文献１には、防水性カバーでスイッチを覆うようにしたスイッチの防水構造が開示されているが、防水性カバーを別途用意する必要があると共に、これでスイッチを覆う作業が必要となる。また、スイッチ自体に防水機能を付与したものでは、スイッチボックス内に溜まった水の腐食に起因する問題を解決することはできない。
【先行技術文献】
【特許文献】
【０００５】
【特許文献１】特開２００６−２３６７３８
【発明の開示】
【発明が解決しようとする課題】
【０００６】
本発明は、スイッチボックスに排水機能を持たせることで、上記課題を解決することを目的とするものである。
【課題を解決するための手段】
【０００７】
本発明が採用した技術手段は、
上壁、底壁、後壁、左右の側壁を備え、前面が開口状の箱体と、
箱体の上壁、底壁に垂直状に設けた上側取付片、下側取付片、と、
上側取付片、下側取付片に取り付けられ、押ボタンスイッチが搭載されたスイッチ取付プレートと、
上側取付片、下側取付片、スイッチ取付プレートの後方に形成された配線空間と、
を備えたスイッチボックスにおいて、
前記底壁において、下側取付片の後側部位は、後壁から前方に向かって下向きに傾斜する傾斜面に形成されており、
前記下側取付片の下端には、前記底壁（傾斜面の前端）との間に水抜き用の隙間が形成されており、前記配線空間に侵入した水を前記底壁及び前記隙間を介して前方に排水するように構成されている、
スイッチボックス、である。
箱体の壁面には前記配線空間に面して少なくとも１つの配管用の開口が形成されており、前記配管用の開口に設けた配管を通って開閉機からの配線が前記配線空間に導かれる。スイッチ取付プレートの背面には押ボタンスイッチのスイッチ本体が設けてあり、前記配線空間において、スイッチ本体は開閉機から延びる配線に接続されている。
【０００８】
１つの態様では、前記下側取付片は前記箱体の全幅に亘って延びており、当該下側取付片の幅方向両端部はそれぞれ左右の前記側壁に当接しており、
前記水抜き用の隙間は、前記下側取付片の幅方向両端部の下端に形成されている。
下側取付片の両端に隙間を形成したことで、箱体が、その底壁が幅方向に傾斜しているような場合であっても、傾斜面上で前方に案内された水は底壁の幅方向の左右いずれかに移動していずれかの隙間から前方に排出されるので、良好に排水を行うことができる。
【０００９】
１つの態様では、前記底壁の前端の幅方向両端部には、水抜き用の溝部が形成されている。
底壁の前端に水抜き用の溝部を形成することで、底壁の前端に達した水は溝部を介して外部に排出される。
１つの態様では、前記底壁は、前記下側取付片の後方の傾斜面と、前記下側取付片の前方の水平面と、からなり、水平面の幅方向両端部には、水抜き用の溝が形成されている。底壁の奥行寸法の後方側部位のみを傾斜面とすることで、底壁全面に勾配をつける場合に比べて勾配を大きくすることができ、水を良好に排出することができる。
【００１０】
１つの態様では、前記箱体は壁面に埋設されており、前記箱体の前面には、蓋体を備えた開口枠体が設けてあり、前記開口枠体の周縁部は壁面に当接しており、前記周縁部の下縁には水抜き用の開口が形成されている。
箱体の底壁の前端から排出された水は、開口枠体内に溜まることなく、開口枠体の周縁部の下縁に形成された開口から壁面を伝って排出される。
【発明の効果】
【００１１】
本発明に係るスイッチボックスでは、スイッチボックスの箱体内の配線空間に侵入した水は、勾配を有する底壁及び水抜き用の隙間を通して前方に排出されるので、水が配線空間内に溜まって腐食してしまうことを防ぐことができる。配線空間に水が溜まることがないので、スイッチの配線の接続部に水が付着してショートすることがない。
【図面の簡単な説明】
【００１２】
【図１】電動シャッターを屋外側から見た概略斜視図である。
【図２】スイッチボックスの正面図、縦断面図、底面図である。
【図３】箱体の正面図、縦断面図、底面図である。
【図４】開口枠体の正面図、縦断面図、底面図である。
【図５】壁内に埋設された状態のスイッチボックスの縦断面図である。
【発明を実施するための形態】
【００１３】
図１は、電動シャッターを屋外側から見た概略斜視図である。電動シャッターは、建物開口部を開閉するシャッターカーテン１と、建物開口部の幅方向両端部に立設されており、シャッターカーテン１の幅方向両端部を上下方向に案内するガイドレール（図示せず）と、建物開口部の上方に設けられ、シャッターカーテン１の上端が連結されている巻取シャフト（図示せず）と、巻取シャフトを回転駆動させる開閉機（図示せず）と、を備えている。
【００１４】
屋外側の壁面Ｗにはシャッター操作用のスイッチボックス２が設置されている。スイッチボックス２には、開閉機と電気的に接続されている押ボタンスイッチが設けてある。押ボタンスイッチは、スイッチ取付プレートＰに搭載されており、スイッチ取付プレートＰの表面に設けた開ボタンＳＷ１、停止ボタンＳＷ２、閉ボタンＳＷ３の三つのボタンと、スイッチ取付プレートＰの裏面に設けたスイッチ本体Ｓと、を有している。スイッチボックス２内に鉛直状に設けたスイッチ取付プレートＰの表面には上から順に開ボタンＳＷ１、停止ボタンＳＷ２、閉ボタンＳＷ３が配設されている。開ボタンＳＷ１を押すと開信号が開閉機のモータに送信されてシャッターカーテン１を上昇させる。閉ボタンＳＷ３を押すと閉信号が開閉機のモータに送信されてシャッターカーテン１を下降させる。停止ボタンＳＷ２を押すと、上昇中あるいは下降中のシャッターカーテン１が停止する。
【００１５】
スイッチボックス２は、前面に開口部を備えた略直方体状の箱体３と、箱体３内に収容された押ボタンスイッチと、箱体３の前面に設けられる四周状の開口枠体４と、開口枠体４に回動可能に取り付けられ、開口枠体４の開口を開閉するする蓋体５と、からなる。箱体３は、壁内に形成された凹部に埋設されており、箱体３の前端、すなわち開口部は壁面Ｗと略一致している。
【００１６】
図３に示すように、箱体３は、上壁３０と、底壁３１と、後壁３２と、左右の側壁３３、３４と、を備えており、前面が縦長方形状の開口となっている。上壁３０は水平状に延びており、後壁３２、左右の側壁３３、３４は垂直状に延びている。底壁３１は、後壁３２の下端から前方に向かって下向き傾斜状に延びる傾斜面３１０と、傾斜面３１０の前端から開口にまで延びる水平面３１１と、からなる。
【００１７】
上壁３０、底壁３１には、スイッチ取付プレートＰを取り付けるための取付部材６、７が設けてある。取付部材６は、上壁３０の前側部位に設けられる水平片６０と、水平片６０の後端から垂下する垂直片６１と、から側面視Ｌ形状となっている。取付部材７は、底壁３１の水平面３１１上に設けられる水平片７０と、水平片７０の後端から垂直に立ち上る垂直片７１と、から側面視Ｌ形状となっている。垂直片７１は、傾斜面３１０の前端と水平面３１１の後端に位置して垂直に立ち上っている。垂直片６１と垂直片７１は、同じ鉛直線上に位置しており、垂直片６１が、スイッチ取付プレートＰを取り付けるための上側取付片、垂直片７１が、スイッチ取付プレートＰを取り付けるための下側取付片となっている。垂直片６１、垂直片７１、スイッチ取付プレートＰの後方に形成される空間が配線空間となっている（図２、図５参照）。
【００１８】
取付部材６は、箱体３の全幅に亘って延びる寸法を備えており、取付部材６の両端は、それぞれ、側壁３３、３４に当接している。取付部材７は、箱体３の全幅に亘って延びる寸法を備えており、取付部材７の両端は、それぞれ、側壁３３、３４に当接している。上下の取付部材６、７の両端部が共に側壁３３、３４に当接することで、壁内に埋め込まれた箱体３に側方から作用し得る圧力に対抗することができる。特に、上壁３０、底壁３１、後壁３２、左右の側壁３３、３４の端部を係合させて（溶接せずに）箱体３を組み立ているような場合には、取付部材６、７が箱体３を補強する役割をも有している。
【００１９】
図示の態様では、垂直片６１は、側壁３３側の半部が側壁３４側の半部に比べて下方に延びており、側壁３３側の半部に螺子孔６１０が形成されている。垂直片７１は、側壁３４側の半部が側壁３３側の半部に比べて上方に延びており、側壁３４側の半部に螺子孔７１０が形成されている。螺子孔６１０と螺子孔７１０は正面視において対角状に形成されている。
【００２０】
上壁３０の後側部位（垂直片６１の後方部位）、底壁３１の傾斜面３１０、後壁３２には、配管用の開口８が形成されている。図５に示すように、開閉機と押ボタンスイッチとを電気的に接続する配線８１が配管８０を通って箱体３内の配線空間（垂直片６１、垂直片７１、スイッチ取付プレートＰの後方に形成される空間）に導入されるようになっている。開閉機から配管８０を通って延びる配線８１と、スイッチ本体Ｓから延びる配線８２は、箱体３の配線空間において接続される。接続部を８３で示す。
【００２１】
取付部材７の垂直片７１の幅方向の両端の下端には、傾斜面３１０の前端との間に、水抜き用の隙間９が形成されている。箱体３内の配線空間に侵入した水（例えば、配管８０を通って侵入する）は、重力によって配線空間内を下方に移動し、底壁３１の傾斜面３１０に案内されて前方へ移動する。傾斜面３１０の前端へ移動した水は、取付部材７の垂直片７１の下端の左右の隙間９から前方へ排水される。したがって、配線空間に水が入り込んだ場合であっても、水抜き用の隙間９を通して水が配線空間から前方に排水されるので、配線空間に水が溜まって腐食したり、配線の接続部８３に悪影響を与えることがない。
【００２２】
底壁３１を傾斜面３１０と水平面３１１から形成することで、同じ奥行寸法の底壁３１全体を傾斜面から形成する場合に比べて、箱体３の開口の高さ寸法を変えずに、傾斜面３１０の勾配を大きくすることでき、より急な勾配の傾斜面３１０によって良好に排水が行われる。
【００２３】
取付部材７の垂直片７１の下端の両側に隙間９を形成したことで、箱体３が、その底壁３１が幅方向に傾斜して壁内に埋設されているような場合であっても、傾斜面３１０上で前方に案内された水は底壁３１の幅方向の左右いずれかに移動していずれかの隙間９から前方に排出されるので、良好に排水を行うことができる。
【００２４】
底壁３１の水平面３１１の前端の幅方向の両端には水抜き用の溝部１０が切り欠き形成されている。取付部材７の垂直片７１の下端の左右の隙間９から前方へ排水された水は、水平面３１１の前端まで達すると、水平面３１１の前端の幅方向の両端に形成された溝部１０から外部に排水される。
【００２５】
図４に示すように、開口枠体４は、四周状の前壁４０と、四周状の前壁４０の外縁に一体形成された周縁部、具体的には、上縁４１、下縁４２、左右の側縁４３、４４と、からなる。前壁４０の内方に形成された縦長方形状の開口は、前壁４０に蝶番ピン（図示せず）を介して回動可能に装着された蓋体５によって開閉される。蓋体５には、鍵操作に連動して回動することで、開口枠体４に係脱する係止片が設けてある。図２、図５に示すように、蓋体５には錠５０が設けてあり、錠５０の鍵孔に図示しない鍵を入れて操作することで、係止片が回動して蓋体５側に退避し、蓋体５の開放を可能としている。蓋体５を回動することで、箱体３の開口部が開放されて、押ボタンスイッチの操作が可能となる。
【００２６】
前壁４０の裏面側には、開口枠体４を箱体３に取り付けるための取付片１２が設けてある。取付片１２は、水平状の上壁１２０、水平状の下壁１２１、一方の側壁１２２からなる三方枠であり、前壁４０の裏面にスポット溶接されている。上壁１２０の先端には上側係止片１３が垂下状に一体形成されている。下壁１２１の先端には下側係止片１４が垂直に立ち上り状に一体形成されている。
【００２７】
開口枠体４の上縁４１、下縁４２、左右の側縁４３、４４の端部を壁面Ｗに当接させた状態で、スイッチ取付プレートＰの上方部位を上側係止片１３に当接させ、スイッチ取付プレートＰの下方部位を下側係止片１４に当接させた状態で、スイッチ取付プレートＰを螺子１５を用いて箱体３に装着された取付部材６の垂直片６１、取付部材７の垂直片７１にそれぞれ形成された螺子孔６１０、７１０に固定する。螺子孔６１０、７１０は、蓋体５を開放した状態で、外部から開口枠体４の開口を通して螺子１５を着脱できるような位置に形成されている。
【００２８】
スイッチ取付プレートＰが、螺子１５によって取付部材６の垂直片６１、取付部材７の垂直片７１に取り付けられると同時に、スイッチ取付プレートＰの上方部位が上側係止片１３に当接係止し、スイッチ取付プレートＰの下方部位が下側係止片１４に当接係止した状態となって、開口枠体４が箱体３の前面側に位置して壁面Ｗに取り付けられる。
【００２９】
開口枠体４の下縁４２の幅方向の中央部位には水抜き用の開口１６が切り欠き形成されている。取付部材７の垂直片７１の下端の左右の隙間９から前方へ排水された水は、水平面３１１の前端まで達すると、水平面３１１の前端の幅方向の両端に形成された溝部１０、開口枠体４の下縁４２に形成された水抜き用の開口１６を通して壁面Ｗを伝って外部に排水される。
【符号の説明】
【００３０】
２  スイッチボックス
３  箱体
３１  底壁
３１０  傾斜面
３１１  水平面
４  開口枠体
５  蓋体
６  取付部材
６１  垂直片（上側取付片）
７  取付部材
７１  垂直片（下側取付片）
８  配管用の開口
９  水抜き用の隙間
１０  水抜き用の溝部
【図１】
2011144601.tif 000003
【図２】
2011144601.tif 000004
【図３】
2011144601.tif 000005
【図４】
2011144601.tif 000006
【図５】
2011144601.tif 000007